(57)【要約】【課題】逆洗作業が行われても砂や砂利層の中に放射性物質が混在してしまうことが防げる河川水を飲料水として適するレベルで貯水することが可能な取水装置を提供すること。【解決手段】貯水槽７と、濾過部５と、該濾過部５で濾過された河川水を前記貯水槽７に貯水する集水部１０、１４と、前記集水部１０、１４から前記貯水槽７への河川水の流れの開閉を行う弁体１２、１６と、該弁体１２、１６の開閉制御を行う制御部と、を備えた河川における取水装置であって、濾過部５は、上層から下層に向かって自然石層５ａ、砂層５ｃ、５ｄ及び砂利層５ｅ、５ｆで構成され、前記自然石層５ａと砂層５ｃ、５ｄの間に放射性物質吸着層５ｂを配置する。【選択図】図３
2014206016.tif 000002
【特許請求の範囲】
【請求項１】
河川底に埋設される貯水槽と、該貯水槽の周囲に設けられるとともに、河川水を浸透させることで河川水から濾物を分離して濾過する濾過部と、該濾過部で濾過された河川水を前記貯水槽に貯水する集水部と、前記集水部から前記貯水槽への河川水の流れの開閉を行う弁体と、該弁体の開閉制御を行う制御部と、を備え、前記制御部が前記弁体を閉鎖することで、前記濾過部にて、河川水から分離した濾物を前記濾過部から剥離させる逆洗作用を生じさせるようにした河川における取水装置であって、
前記濾過部は、上層から下層に向かって自然石層、砂層及び砂利層で構成され、前記自然石層と砂層の間に放射性物質吸着層を配置したこと特徴とする河川における取水装置。
【請求項２】
前記放射性物質吸着層は繊維活性炭で構成されていることを特徴とする請求項１に記載の河川における取水装置。
【請求項３】
前記河川における前記貯水槽よりも上流側に河川水の放射線量を検知する検知部を備え、前記制御部は、前記検知部で検知されている河川水の放射線量が許容基準値を超えることで前記弁体を閉鎖することを特徴とする請求項１または２に記載の河川における取水装置。
【請求項４】
前記集水部は、前記貯水槽の上部に配置された第１集水部と、前記貯水槽の側部に配置された第２集水部と、から構成されていることを特徴とする請求項１乃至３のいずれかに記載の河川における取水装置。
【請求項５】
河川水は、前記濾過部の下部に配置された多数の細孔を介して前記貯水槽に貯水されることを特徴とする請求項１乃至４のいずれかに記載の河川における取水装置。
【発明の詳細な説明】
【技術分野】
【０００１】
本発明は、濾過部で濾過された河川水を貯水槽に貯水して河川から工業用水や飲料用水として取水する取水装置に関する。
【背景技術】
【０００２】
従来、長期間にわたってメンテナンス等を介さずに河川水を飲料水として適するレベルで貯水することが可能な河川における取水装置として、河川底に埋設される貯水槽と、該貯水槽の周囲に設けられるとともに、河川水を浸透させることで河川水から濾物を分離して濾過する濾過部と、該濾過部で濾過された河川水を前記貯水槽に貯水する集水部と、前記集水部から前記貯水槽への河川水の流れの開閉を行う弁体と、該弁体の開閉制御を行う制御部とを備え、濾過部に濾物が残留しても、制御部が弁体を閉鎖させて貯水槽への河川水の貯水を停止することで、逆洗作用として濾過部から河川水を濾物とともに噴出させ、噴出した濾物を河川の水流によって河川の下流に流すことで、濾過部における河川水の濾過能力をメンテナンス等によらず回復させことができる取水装置がある（例えば、特許文献１参照）。
【先行技術文献】
【特許文献】
【０００３】
【特許文献１】特開２０１２−１８８９０７号公報（図３）
【発明の概要】
【発明が解決しようとする課題】
【０００４】
しかしながら、特許文献１に記載の取水装置にあっては、河川水の濾過能力をメンテナンス等によらず回復させことができても、河川水に放射性物質が含まれていれば、放射性物質を飲料水として取り込むことになるし、逆洗作行を行った場合、濾過部に放射性物質が砂や砂利層の中に混在してしまい、放射性物質だけを取り除くことが困難であるという問題があった。
【０００５】
本発明は、このような問題点に着目してなされたもので、放射性物質を吸着して河川水を飲料水として適するレベルで貯水することが可能であるとともに、逆洗作業が行われても砂や砂利層の中に放射性物質が混在してしまうことが防げる河川における取水装置を提供することを目的とする。
【課題を解決するための手段】
【０００６】
前記課題を解決するために、本発明の河川における取水装置は、
河川底に埋設される貯水槽と、該貯水槽の周囲に設けられるとともに、河川水を浸透させることで河川水から濾物を分離して濾過する濾過部と、該濾過部で濾過された河川水を前記貯水槽に貯水する集水部と、前記集水部から前記貯水槽への河川水の流れの開閉を行う弁体と、該弁体の開閉制御を行う制御部と、を備え、前記制御部が前記弁体を閉鎖することで、前記濾過部にて、河川水から分離した濾物を前記濾過部から剥離させる逆洗作用を生じさせるようにした河川における取水装置であって、
前記濾過部は、上層から下層に向かって自然石層、砂層及び砂利層で構成され、前記自然石層と砂層の間に放射性物質吸着層を配置したことを特徴としている。
この特徴によれば、河川水に含まれる放射性物質を濾過部に配した放射性物質吸着層を介して吸着させることができるので、放射性物質を飲料水として取り込むことが防げる。また制御部により集水部から前記貯水槽への河川水の流れを閉鎖することで濾過部における河川水の濾過能力をメンテナンス等によらず回復させ、貯水槽を長期間にわたってメンテナンス等を介さずに使用することができる逆洗時にあっても、放射性物質は放射性物質吸着層に吸着されているので、放射性物質が砂や砂利層の中に混在して各所に拡散させることなく濾物のみを河川の水流によって河川の下流に流すことができる。更に自然石層と砂層との間に放射性物質吸着層を配置することで、放射性物質吸着層が水流により流出してしまう虞がない。
【０００７】
本発明の河川における取水装置は、
前記放射性物質吸着層は繊維活性炭で構成されていることを特徴としている。
この特徴によれば、繊維活性炭は水に溶け込んだ放射性物質に対して吸着性が高く、且つ粉末活性炭に比べ水流に対する滞留性能が高い。
【０００８】
本発明の河川における取水装置は、
前記河川における前記貯水槽よりも上流側に河川水の放射線量を検知する検知部を備え、前記制御部は、前記検知部で検知されている河川水の放射線量が許容基準値を超えることで前記弁体を閉鎖することを特徴としている。
この特徴によれば、制御部は、逆洗時に弁体を閉鎖するだけでなく、河川の上流から流れてくる河川水の放射線量が許容基準値を超えていることを検知部から検知した場合においても弁体を閉鎖することにより、放射線量が許容基準値を超えた河川水を、貯水槽内に取り込まないようにすることができる。
【０００９】
本発明の河川における取水装置は、
前記集水部は、前記貯水槽の上部に配置された第１集水部と、前記貯水槽の側部に配置された第２集水部と、から構成されていることを特徴としている。
この特徴によれば、第１集水部による貯水槽の上方で濾過された河川水のみならず、第２集水部による貯水槽の側方で濾過された河川水も集水することで、貯水槽に効率的に河川水を貯水することができる。
【００１０】
本発明の河川における取水装置は、
河川水は、前記濾過部の下部に配置された多数の細孔を介して前記貯水槽に貯水されることを特徴としている。
この特徴によれば、濾過部の砂層及び砂利層、そして集水部における細孔の３段階の濾過により水質のよい河川水を貯水槽に貯水することができる。
【図面の簡単な説明】
【００１１】
【図１】実施例において河川における貯水槽とダムとの位置関係を示す側面概略図である。
【図２】河川における貯水槽とダムとの位置関係を示す平面概略図である。
【図３】貯水槽及び濾過部を示す側面断面図である。
【図４】図３における貯水槽及び濾過部のＡ−Ａ断面図である。
【図５】取水装置の構成を示すブロック図である。
【発明を実施するための形態】
【００１２】
本発明に係る河川における取水装置を実施するための形態を実施例に基づいて以下に説明する。
【実施例】
【００１３】
実施例に係る河川における取水装置につき、図１から図５を参照して説明する。以下、図１及び図２の紙面左側を河川の上流側として説明する。図１の符号１は、河川２の所定箇所に設けられたダム１である。このダム１は、河川２を堰き止めることでダム湖３を形成しており、ダム湖３には河川水が貯水されている。このダム湖３に貯水されている河川水は、長年に亘って湖底に流木や泥等が堆積し、クリプト藻等の藻類が繁殖しているため、飲料水として用いるには問題のある水質となっている。
【００１４】
一方、図１及び図２に示すように、河川２におけるダム湖３よりも上流側の河川底４（図３参照）には、ダム湖３よりも上流側を流れる水質の良い河川水を浸透させて濾過するための濾過部５が設けられている。具体的には、この濾過部５は上方から自然石５ａ、放射性物質吸着層５ｂ、粒の細かい砂で構成された洗砂層５ｃ、この洗砂層５ｃの下方に設けられ、洗砂層５ｃよりも粒の大きい砂粒によって構成された荒砂層５ｄと、荒砂層５ｄの下方に設けられ、荒砂層５ｄよりも更に粒の大きい砂粒及び小石が混合した豆砂利層５ｅと、更に豆砂利層５ｅの下方に設けられ、豆砂利層５ｅよりも粒の大きい砂粒及び小石が混合した玉砂利層５ｆと、から構成されている。
【００１５】
そして放射性物質吸着層５ｂは洗砂層５ｃの上方であって自然石５ａによって抑えつけられているため、水流によって流失する虞がない。放射性物質吸着層５ｂとしては粒子活性炭、粉末活性炭、繊維活性炭、あるいはセシュウムに対して特に吸着性能が高い天然ゼオライト（ケイ酸アルミが主体の多孔質鉱石）等種々のものがあるが、水に溶け込んだ放射性物質に対し吸着性が高く、且つ水流に対する滞留性能が高い（流されにくい）ものとして、繊維活性炭が好ましい。
【００１６】
また、河川２を流れる河川水に混ざっている藻類や土砂等は、河川水が濾過部５に浸透することで洗砂層５ｃ、荒砂層５ｄ、豆砂利層５ｅ及び玉砂利層５ｆにて濾物として河川水と分離されると共に、放射性物質を含む河川水は放射性物質吸着層５ｂに吸着される。一方、玉砂利層５ｆ内には、前述のように構成された濾過部５にて濾過された河川水を貯水するとともに、河川２の下流側に設けられた浄水場６まで河川水を送水するための貯水槽７が埋設されている。
【００１７】
河川２における貯水槽７よりも上流には、本発明における検知部としての水質計器群８（図２、図３参照）が配置されている。この水質計器群８は放射線量だけでなく、河川２を流れる河川水の濁度、色度、臭気等の検知及び雨量の検知も行うことができるように各種の計器類が配備されている。
【００１８】
貯水槽７の内部は、濾過された河川水を貯水するための第１貯水部７ａと第２貯水部７ｂとに仕切られている。以下、第１貯水部７ａと第２貯水部７ｂとは同一構成につき、第１貯水部７ａについて主に説明する。
【００１９】
図３及び図４に示すように、貯水槽７の上面には、濾過部５にて濾過した河川水を集水する、本発明における第１集水部としての第１集水管１０が複数配置されている。これら第１集水管１０は、周面に複数の細孔１０ａが形成された円筒状に形成されているとともに、送水管１１を介して第１貯水部７ａ内の上部に接続されている。この送水管１１には、送水管１１の開閉を選択可能な本発明における弁体としての第１水中電磁弁１２と、送水管１１の開度を調整可能な調整弁１３が設けられている。
【００２０】
このため、貯水槽７は、第１水中電磁弁１２が送水管１１を開放した状態で、貯水槽７の上方から濾過部５に浸透した河川水を第１集水管１０で集水することで、第１貯水部７ａ内に濾過された河川水を貯水することが可能となっている。
【００２１】
更に、貯水槽７の下部における外側方には、貯水槽７の外側面の全周に亘って、濾過部５にて濾過した河川水を集水する、本発明における第２集水部としての第２集水管１４が複数配置されている。これら第２集水管１４は、周面に複数の細孔１４ａが形成された円筒状に形成されているとともに、送水管１５を介して第１貯水部７ａ内の下部に接続されている。この送水管１５には、送水管１５の開閉を選択可能な本発明における弁体としての第２水中電磁弁１６と、送水管１５の開度を調整可能な調整弁１７が設けられている。
【００２２】
このため、貯水槽７は、第２水中電磁弁１６が送水管１５を開放した状態で、貯水槽７の側方から濾過部５に浸透した河川水を第２集水管１４で集水することで、第１貯水部７ａ内に濾過された河川水を貯水することが可能となっている。尚、本実施例における送水管１５には、第１貯水部７ａ内に貯水された河川水が送水管１５を逆流して第２集水管１４から濾過部５内に放出されないよう逆止弁１８が設けられている。
【００２３】
また、第１貯水部７ａ内には、給水管１９の一端が接続されている。第１貯水部７ａ内に配置された給水管１９の一端側には、給水管１９の開閉を選択可能な第３水中電磁弁２０と、給水管１９の開度を調整可能な調整弁２１が設けられている。この給水管１９の他端は、図２に示すように、貯水槽７よりも下流側に設けられた浄水場６に接続されている。給水管１９における第３水中電磁弁２０と調整弁２１よりも下流側には、空気抜き管３１の一端が接続されている。この空気抜き管３１の他端は、後述するマンホール２５を介して河川２の上方まで延設されている。
【００２４】
図３及び図４に示すように、第１貯水部７ａ内の最下部には、第１貯水部７ａ内から河川水を排出するためのドレン管２２の一端が接続されている。貯水槽７の外部であるこのドレン管２２の所定箇所には、作業員等が操作することでドレン管２２を開閉可能な排水弁２３が設けられている。この排水弁２３が操作されることで、第１貯水部７ａ内に貯水されている河川水は、ドレン管２２の図示しない他端から河川等に排水させることができる。
【００２５】
更に、第１貯水部７ａには、第１貯水部７ａ内の水位を常時測定している水位計２４が取り付けられているとともに、第１貯水部７ａの上部には、河川の水面よりも上方まで突出するマンホール２５が設けられている。このマンホール２５は、平常時は上端部が図示しない蓋体によって閉鎖されており、作業員等が第１貯水部７ａ内を清掃及び保守作業等を行う際には、ドレン管２２に設けられた排水弁２３を開放して第１貯水部７ａ内の河川水を排水した後、前記蓋体を取り外すことでマンホール２５を介して第１貯水部７ａ内に立ち入ることが可能となっている。
【００２６】
尚、第１貯水部７ａ内に侵入した作業員は、各調整弁１３、１７、２１の開度を調整することで、各第１集水管１０及び第２集水管１４から第１貯水部７ａ内に送水される河川水の送水量と、第１貯水部７ａから浄水場６に給水される河川水の給水量とを適宜調整可能となっている。
【００２７】
次に、浄水場６について説明する。図２に示すように、浄水場６は、前述した給水管１９の他端が接続された浄水槽２６と、貯水槽７における河川水の貯水を制御するための制御部２８（図５参照）が配備された管理棟２７と、を備えている。
【００２８】
このうち浄水槽２６は、特に図示しないが、河川水に薬注や攪拌を行った後に微小な異物を沈殿させることで濾過部５にて濾過しきれなかった異物を河川水除去する沈殿池と、該沈殿池における薬注によって濾過可能な大きさまで成長した異物を濾過膜によって濾過する濾過池と、該濾過池で濾過された河川水を貯水し、この河川水を飲料水として配水管２９を介して一般家庭等へ配水を行う配水池と、から構成されている。
【００２９】
尚、配水管２９には、バイパス管３０を介して配水タンク３１が接続されている。この配水タンク３１は、配水管２９を流れる飲料水をバイパス管３０を介して貯水可能となっている。このため、浄水槽２６及び配水管２９のメンテナンス等の際には、一時的に配水タンク３１に貯水していた飲料水を一般家庭等に配水することで、一般家庭等における断水が防止されている。
【００３０】
管理棟２７に設けられた制御部２８は、図５に示すように、水質計器群８、第１貯水部７ａ及び第２貯水部７ｂに設けられた各第１水中電磁弁１２、第２水中電磁弁１６、第３水中電磁弁２０及び水位計２４にそれぞれ接続されており、例えば水位計２４で検知された第１貯水部７ａまたは第２貯水部７ｂ内の水位と、水質計器群８で検知された河川２を流れる河川水の水量とに応じて第１水中電磁弁１２、第２水中電磁弁１６及び第３水中電磁弁２０の開閉を制御可能となっている。
【００３１】
具体的には、連続給水を行うために、第１貯水部７ａから浄水場６へ給水しているときには、第２貯水部７ｂ側の第３水中電磁弁２０は閉鎖しておき浄水場６へ給水への給水を停止しておく。制御部２８は、第１貯水部７ａの第１水中電磁弁１２、第２水中電磁弁１６及び第３水中電磁弁２０を解放することで河川水の貯水及び浄水場への河川水の給水を行っている。そして第２貯水部７ｂ側の貯水が満水でない場合には、第２貯水部７ｂ側の第１水中電磁弁１２及び第２水中電磁弁１６を満水になるまで解放し、水位計２４により満水状態が確認されれば第２貯水部７ｂ側の第１水中電磁弁１２及び第２水中電磁弁１６を閉鎖する。
【００３２】
第１貯水部７ａ側からの給水により水位が低下した場合には、第１貯水部７ａ側の第３水中電磁弁２０を閉鎖し、第２貯水部７ｂ側の第１水中電磁弁１２、第２水中電磁弁１６及び第３水中電磁弁２０を解放して、第２貯水部７ｂ側からの給水に切り替わる。尚、本実施例における給水管１９は、このように第３水中電磁弁２０が閉鎖されても、河川２の上方に他端が延設されている空気抜き管３１から給水管１９内に空気が流入することで、給水管１９内に負圧が生じてしまうことが防止されている。このため、給水管１９内に負圧が生じることでウオータハンマー現象によって給水管１９が破損してしまうことがない。
【００３３】
河川水の貯水を第２貯水部７ｂによる貯水に切り替えた後に、第１貯水部７ａにおける第３水中電磁弁２０を開放することで、第１貯水部７ａ内がほぼ空になった状態すれば、前述したようにマンホール２５から作業員等が第１貯水部７ａ内に立ち入り、第１貯水部７ａ内の清掃及び保守作業等を行うことができる。
【００３４】
このように複数の貯水部を備えることにより、給水を連続的に行うことができる。本実施例では第１貯水部７ａと第２貯水部７ｂとの２つの給水部を備えているが、需要規模に応じて連続給水が可能なように給水部の数は適宜選定される。このように構成することで、例えば給水部の故障や整備等によりに一つの給水部の運転を止めても連続給水が可能になっている。
【００３５】
このような給水運転状態において、水質計群８のうちの例えば放射能線量計により河川水の線量値が許容基準値を越えていることが検知されると、制御部２８は、第１及び第２貯水部７ａ、７ｂの第１水中電磁弁１２、第２水中電磁弁１６及び第３水中電磁弁２０を閉鎖して両貯水部７ａ、７ｂからの河川水の貯水を停止するので、線量値が許容基準値を越えた放射性物質を含んだ河川水を貯水部に取り込むことはない。
【００３６】
第１水中電磁弁１２、第２水中電磁弁１６及び第３水中電磁弁２０を閉鎖すると、逆流が起こり一度濾過部５で濾過された河川水は、河川水を濾過した際に濾過部５内に残留した濾物を濾過部５から剥離させ、これら濾物とともに濾過部５の上方に噴出する。そして、これら濾物は、河川２の水流によって下流に流される。つまり、濾過部５には逆洗作用が働くので、濾過部５の濾過能力をメンテナンスによらず回復させることができる。しかし放射性物質吸着層５ｂにより吸着した放射性物質はこの吸着層５ｂに形成されている微細な無数の穴に取り込まれてしまうので、放射性物質が砂や砂利層の中に混在して各所に拡散されることがなく、また吸着能力が低下した場合の放射性物質吸着層５ｂの交換も容易にできる。
【００３７】
この第１水中電磁弁１２、第２水中電磁弁１６及び第３水中電磁弁２０を閉鎖することによる濾過部５のメンテナンスは、所定の期間を設定して制御部２８により自動的に行うようにしてもよいし、濾過部５の濾過状態を点検して制御部２８に設けた逆洗作動ボタン（図示せず）の手動操作で行うようにしてもよい。
【００３８】
尚、水質計器群８で検知される河川水の水質、例えば濁度、色度あるいは臭気等のいずれか一つでも許容基準値を終えた場合も、放射性物質の場合と同様に第１水中電磁弁１２、第２水中電磁弁１６及び第３水中電磁弁２０を閉鎖して両貯水部７ａ、７ｂからの河川水の貯水を停止する。そして許容基準値以内に低下すれば、制御部２８は、再び第１水中電磁弁１２、第２水中電磁弁１６及び第３水中電磁弁２０を解放することで第河川水の貯水及び浄水場６への河川水の給水を再開する。この場合水質計器群８での検知値が許容基準値以内に低下しても貯水部近傍ではまだ低下していない虞もあるので、貯水部近傍に第２の水質計器群を設け、水質計器群８と第２の水質計器群との両検知結果に基づいて電磁弁の開閉制御を行うようにすれば、より一定基準の水質を有する飲用水を取水することができる。
【００３９】
また、浄水場６への給水している状態で、水位計２４が貯水部内の水位が一定以上になったことを検知すると、制御部２８は、第１水中電磁弁１２及び第２水中電磁弁１６を閉鎖し、河川水の貯水を停止するが、給水管１９から浄水場６への河川水の給水は継続する。尚、水位計２４が貯水部７ａ内の水位を一定以下になったことを検知すれば、制御部２８は、第１水中電磁弁１２、第２水中電磁弁１６を解放することで貯水部での河川水の貯水を再開する。
【００４０】
以上、本実施例における取水装置にあっては、河川水に含まれる放射性物質を濾過部５に配した放射性物質吸着層を介して吸着させることができるので、放射性物質を飲料水として取り込むことが防げる。また制御部２８により第１水中電磁弁１２及び第２水中電磁弁１６を閉鎖して集水部から前記貯水槽への河川水の流れを閉鎖することで逆流が生じ、濾過部５にて、河川水から分離した濾物を濾過部５から剥離させる逆洗作用が起こるので、濾過部５から河川水を濾物とともに噴出させ、噴出した濾物を河川２の水流によって河川２の下流に流すことができ、濾過部５における河川水の濾過能力をメンテナンス等によらず回復させ、貯水槽７を長期間にわたってメンテナンス等を介さずに使用することができる。
【００４１】
そしてこの逆洗時に濾過部５から河川水を濾物とともに噴出させても、放射性物質は放射性物質吸着層５ｂに吸着されているので、放射性物質が砂や砂利層の中に混在して各所に拡散されることなく濾物のみを河川の水流によって河川の下流に流すことができる。更に自然石層５ａと砂層との間に放射性物質吸着層５ｂを配置することで、放射性物質吸着層が水流により流出してしまう虞がない。
【００４２】
また放射性物質吸着層５ｂは繊維活性炭で構成されているので、水に溶け込んだ放射性物質に対して吸着性が高く、且つ粉末活性炭等の紛体物と比べ水流に対する滞留性能が高い。
【００４３】
そして、河川２における貯水槽７よりも上流側にて河川水の放射線量を検知する水質計器群８を備え、制御部２８は、この水質計器群８で検知されている河川水の放射線量が許容基準値を超えると第１水中電磁弁１２及び第２水中電磁弁１６を閉鎖するので、貯水槽７内に許容基準値を超えた放射性物質が侵入しないようにすることができる。
【００４４】
更に河川２を流れる河川水の濁度、色度、臭気等が水質計器群８の計器により所定基準値を超えた場合にも同様に、これら検知部からの信号に基づき制御部２８が第１水中電磁弁１２及び第２水中電磁弁１６を閉鎖して貯水槽７内にそれら不適切な河川水が侵入しないようにして、河川水の水質を一定基準に保つことができる。
【００４５】
また、集水部は、貯水槽７の上部に配置された第１集水管１０と、貯水槽７の側部に配置された第２集水管１４と、から構成されているので、第１集水管１０による貯水槽７の上方で濾過された河川水のみならず、第２集水管１４による貯水槽７の側方で濾過された河川水も集水することで、貯水槽７に効率的に河川水を貯水することができる。
【００４６】
濾過部５は、上方の洗砂層５ｃ、荒砂層５ｄから成る砂層及び下方の豆砂利層５ｅ、玉砂利層５ｆとから成る砂利層とで構成され、更に濾過部５の下部に配置された多数の細孔１０ａ、１４ａを介して貯水槽７に貯水されるので、河川水は３段階の濾過により水質のよい河川水を貯水槽７に貯水することができる。
【００４７】
また、貯水槽７は、河川２に設けられたダム１よりも上流側で埋設されているので、土砂等が混じった状態でダム１に貯水されている河川水を貯水槽７に貯水することが無いので、より確実に水質のよい河川水を貯水槽７に貯水することができる。
【００４８】
以上、本発明の実施例を図面により説明してきたが、具体的な構成はこれら実施例に限られるものではなく、本発明の要旨を逸脱しない範囲における変更や追加があっても本発明に含まれる。
【００４９】
例えば、前記実施例では、濾過部５を、上部の自然石層５ａ、放射性物質吸着層５ｂ洗砂層５ｃ、荒砂層５ｄ及び下部の豆砂利層５ｅ、玉砂利層５ｆとから構成したが、貯水槽７が埋設される河川２の河川水の濁度、色度、臭気等に応じては、濾過部５を構成するこれら各層をより薄層または厚層として濾過部５の濾過能力を調整してもよい。
【００５０】
また、前記実施例では、送水管１１に、送水管１１の開閉を選択可能な第１水中電磁弁１２と送水管１１の開度を調整可能な調整弁１３とを設け、送水管１５に、送水管１５の開閉を選択可能な第２水中電磁弁１６と送水管１５の開度を調整可能な調整弁１７を設け、給水管１９に、給水管１９の開閉を選択可能な第３電磁弁２０と給水管１９の開度を調整可能な調整弁２１を設け、これら第１水中電磁弁１２、第２水中電磁弁１７、第３水中電磁弁２０を制御部２８にて開閉制御することで貯水槽７における河川水の貯水と、貯水槽７から浄水槽２６への河川水の給水を行ったが、各送水管１１、１５及び給水管１９に、水中電磁弁１２、１６、２０と調整弁１３、１７、２１とに替えて、制御部２８により開閉量を自在に調整可能な水中電動弁を取り付け、貯水槽７における河川水の貯水と、貯水槽７から浄水槽２６への河川水の給水をより細かく制御するようにしてもよい。
【００５１】
また、河川を流れている河川水の水質が許容基準値を越えていることを検知すると、制御部２８が各貯水部７ａ、７ｂの第１水中電磁弁１２、第２水中電磁弁１６及び第３水中電磁弁２０を閉鎖し、逆洗作用により濾過部５に残留した濾物を河川２の下流に流したが、配水タンク３１に一般家庭等に配水する飲料水が十分に余裕を持って貯水されている場合には、例えば、水質計器群８で検知される水質に拘らず、夜間等の水の使用量が少ない時間帯に各貯水部７ａ、７ｂの第３水中電磁弁２０を閉鎖して各貯水部７ａ、７ｂ内を満水とし、各貯水部７ａ、７ｂに貯水しきれなかった濾過部５に浸透している河川水を利用して濾過槽５に逆洗作用を生じさせるようにしてもよい。
【００５２】
また、前記実施例では放射性物質吸着層５ｂを一層として説明したが、例えば繊維活性炭と天然ゼオライトの２層構造にしたり、あるいはその他の吸着層を更に重ねて多数層にしてもよい。
【符号の説明】
【００５３】
１                ダム
２                河川
４                河川底
５                濾過部
５ａ              自然石層
５ｂ              放射性物質吸着層
５ｃ              洗砂層
５ｄ              荒砂層
５ｅ              豆砂利層
５ｆ              玉砂利層
７                貯水槽
８                水質計器群（検知部）
１０              第１集水管（第１集水部）
１０ａ            細孔
１２              第１水中電磁弁（弁体）
１４              第２集水管（第２集水部）
１４ａ            細孔
１６              第２水中電磁弁（弁体）
１９              給水管
２０              第３水中電磁弁
２６              浄水槽
２８              制御部
【図１】
2014206016.tif 000003
【図２】
2014206016.tif 000004
【図３】
2014206016.tif 000005
【図４】
2014206016.tif 000006
【図５】
2014206016.tif 000007